(57)【要約】  ＬＥＤより発生した熱を放散させるとともに、スタンド取り付け可能箇所を複数設けることを可能とした表示装置等を提供する。  表示装置において、映像を表示する表示部１２と、表示部に一広面を対向させて配される導光板と、一面に発光素子が実装してある基板と、導光板の一側面と平行な板状をなし、基板を一側面に発光素子の実装面を対向させて保持する保持部及び保持部に連なり、導光板の他広面と平行な板状をなす後面部を有し、一側面に沿う方向に長い放熱体と、箱体状をなし、放熱体を固着する固着部を有し、導光板を保持する保持体とを備え、保持体の固着部は、導光板の他広面と平行であり、放熱体の後面部の一部が、保持体の固着部と密に固着してあり、固着部に据置用のスタンドを取り付けるための固定部を設ける。
2015186639.tif 000002
【特許請求の範囲】
【請求項１】
前側で映像を表示する表示部と、該表示部の後側に一広面を対向させて配される導光板と、一面に発光素子が実装してある基板と、
前記導光板の一側面と平行な板状をなし、前記基板を、前記一側面に前記発光素子の実装面を対向させて保持する保持部及び該保持部に連なり、前記導光板の他広面と平行な板状をなす後面部を有し、前記一側面に沿う方向に長い放熱体と、
一面が開口された箱体状をなし、前記放熱体を固着する固着部を有し、前記導光板を保持する保持体とを備え、
前記導光板は、前記発光素子から前記一側面に入射する光を前記一広面から出射して前記表示部に照射するようにしてある表示装置において、
前記保持体の前記固着部は、前記導光板の前記他広面と平行であり、
前記放熱体の前記後面部の一部が、前記保持体の前記固着部と密に固着してあり、
該固着部に据置用のスタンドを取り付けるための固定部を設けてある
ことを特徴とする表示装置。
【請求項２】
前記固定部は、前記固着部の複数箇所に設けてある
ことを特徴とする請求項１に記載の表示装置。
【請求項３】
前記放熱体は前記保持体にねじ止めしてあり、
前記放熱体に設けてあるねじ挿通孔は、前記放熱体の長手方向に長い長孔としてある
ことを特徴とする請求項１又は２に記載の表示装置。
【請求項４】
前記長孔は、前記長手方向に沿って複数設けてあり、長手方向中央側より端部側が長い
ことを特徴とする請求項３に記載の表示装置。
【請求項５】
請求項１から４のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明はエッジライト方式の表示装置、及び該表示装置を備えたテレビジョン受信機に関する。
【背景技術】
【０００２】
液晶パネルを表示パネルとして備える液晶表示装置は、薄形で軽量である上、消費電力が小さい。そのことから、近年、テレビジョン受信機、コンピュータ及び携帯端末用の画像表示装置として、液晶表示装置が広く採用されている。【０００３】
液晶表示装置は、前側に映像を表示する液晶表示パネル、液晶表示パネルに光を供給するバックライトを含む。バックライトには直下型とエッジ型がある。近年多く採用されているエッジ型のバックライトは、一面が開口された箱体状の保持体上に、反射シート、導光板、光学シートを重ね置き、一面にＬＥＤ（Ｌｉｇｈｔ  Ｅｍｉｔｔｉｎｇ  Ｄｉｏｄｅ）などの発光素子が実装してある基板を、導光板の一側面と対向させるように配して構成されている。液晶表示装置は、バックライトの上に、さらに、導光板の広面に対向するように液晶表示パネルを載せおき、枠体状をなすフロントフレームを液晶表示パネルの周縁部を覆うようにして、該フロントフレームをバックライトシャーシに固定して、構成される。反射シート、導光板、光学シート、液晶表示パネルは、フロントフレームとバックライトシャーシとにより挟持固定される。【０００４】
エッジ型のバックライトを採用した液晶表示装置では、ＬＥＤの光を導光板の一側面から入射させ、広面から出射させるので、液晶表示パネルの輝度を確保するためには、高輝度のＬＥＤが必要となる。そのため、ＬＥＤから発生する熱を放散させることが、重要な課題である。そのような課題に対して、特許文献１には、ＬＥＤを実装した基板を熱放散させるヒートスプレッダに取り付け、さらに、ヒートスプレッダをバックライトシャーシに取り付けることにより、熱を放散させる表示装置が記載されている。
【先行技術文献】
【特許文献】
【０００５】
【特許文献１】特許第５３３５０５８号公報
【発明の概要】
【発明が解決しようとする課題】
【０００６】
しかしながら、液晶表示パネルの大型化に伴い、ＬＥＤの高輝度化が進むに連れて、放散させるべき熱量が増大してきており、ヒートスプレッダの大型化が必要となってきている。【０００７】
一方、液晶表示装置では、外観の品位向上を目的として、薄型、狭額縁化が進められているが、これらについては限界に達しており、外観の品位向上として新たな観点が求められている。その１つが、液晶表示装置を載置面上に載置するために支持するスタンドの差別化である。そのため、従来のスタンドの取付位置だけではなく、様々な箇所にスタンドを取り付け可能とすることが求められている。【０００８】
従来、スタンドはバックライトシャーシに固定しているが、液晶表示装置の薄型化、軽量化に伴い、バックライトシャーシの板厚が薄くなり、スタンドを取り付けるには、補強を加える必要がある。スタンドを取り付ける部分には重量が掛かるので、所定以上の剛性が必要となるが、バックライトシャーシの板厚が薄いため、必要な剛性を確保するためには補強が必要となるのである。そのため、従来の構造において、バックライトシャーシの様々な箇所にスタンドを取り付けるようにするためには、補強箇所を増やす必要がある。しかし、補強箇所を増やすと、バックライトシャーシの重量が増えるとともに、材料費、組み立てコストの増大を招いてしまうという問題があった。【０００９】
本発明は斯かる事情に鑑みてなされたものであって、ＬＥＤより発生した熱を放散させるとともに、薄型化を妨げず、スタンド取り付け可能箇所を複数設けることを可能とした表示装置を提供することを目的とする。
【課題を解決するための手段】
【００１０】
本発明に係る表示装置は、前側で映像を表示する表示部と、該表示部の後側に一広面を対向させて配される導光板と、一面に発光素子が実装してある基板と、前記導光板の一側面と平行な板状をなし、前記基板を、前記一側面に前記発光素子の実装面を対向させて保持する保持部及び該保持部に連なり、前記導光板の他広面と平行な板状をなす後面部を有し、前記一側面に沿う方向に長い放熱体と、一面が開口された箱体状をなし、前記放熱体を固着する固着部を有し、前記導光板を保持する保持体とを備え、前記導光板は、前記発光素子から前記一側面に入射する光を前記一広面から出射して前記表示部に照射するようにしてある表示装置において、前記保持体の前記固着部は、前記導光板の前記他広面と平行であり、前記放熱体の前記後面部の一部が、前記保持体の前記固着部と密に固着してあり、該固着部に据置用のスタンドを取り付けるための固定部を設けてあることを特徴とする。【００１１】
本発明に係る表示装置は、前記固定部は、前記固着部の複数箇所に設けてあることを特徴とする。【００１２】
本発明に係る表示装置は、前記放熱体は前記保持体にねじ止めしてあり、前記放熱体に設けてあるねじ挿通孔は、前記放熱体の長手方向に長い長孔としてあることを特徴とする。【００１３】
本発明に係る表示装置は、前記長孔は、前記長手方向に沿って複数設けてあり、長手方向中央側より端部側が長いことを特徴とする。【００１４】
本発明に係るテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてあることを特徴とする。
【発明の効果】
【００１５】
本発明にあっては、ＬＥＤより発生した熱の放散量を高輝度化したＬＥＤより発生した熱を放散させるとともに、スタンド取り付け可能箇所を複数設けることが可能となる。
【図面の簡単な説明】
【００１６】
【図１】液晶テレビの外観を示す斜視図である。
【図２】液晶テレビの外観を示す斜視図である。
【図３】液晶テレビの主要部の分解斜視図である。
【図４】ヒートスプレッダの斜視図である。
【図５】ヒートスプレッダの前面図である。
【図６】ヒートスプレッダの後面図である。
【図７】ヒートスプレッダの左側面図である。
【図８】バックライトシャーシの後側斜視図である。
【図９】バックライトシャーシの前側部分斜視図である。
【図１０】バックライトシャーシの後側部分斜視図である。
【図１１】バックライトシャーシに固定された取付具を示す斜視図である。
【図１２】液晶テレビの後側及びスタンドの斜視図である。
【図１３】取付具が複数取り付けられたバックライトシャーシの部分斜視図である。
【図１４】ヒートスプレッダの正面図である。
【発明を実施するための最良の形態】
【００１７】
以下、本発明をその実施の形態を示す図面に基づき具体的に説明する。ここでは、表示装置を備える液晶テレビジョン（以下、「液晶テレビ」と記す）を例とする。【００１８】
（実施の形態１）
図１、図２は液晶テレビ１の外観を示す斜視図である。液晶テレビ１はフロントフレーム１１、液晶表示パネル（表示部）１２、チューナ部２０４、リアキャビネット２１、スピーカユニット２、スタンド３を含む。フロントフレーム１１は矩形枠状をなし、液晶表示パネル１２の周縁を覆っている。リアキャビネット２１は一面が開口された箱体状をなしている。リアキャビネット２１とフロントフレーム１１とが結合することにより、液晶テレビ１の外観が形作られる。液晶表示パネル１２は矩形板状をなし、映像を表示する。スピーカユニット２は、長手方向の寸法がフロントフレーム１１とほぼ同一で、略直方体状をなしている。スピーカユニット２は、長手方向の一面が、フロントフレーム１１の長手方向の一側面と対向するように、固定される。チューナ部２０４は液晶テレビ１に内蔵されている。チューナ部２０４は、テレビジョン放送を受信し、放送信号を取り出す。放送信号は所定の処理により、映像信号と音声信号に分離される。映像信号に基づき液晶表示パネル１２に映像が表示され、音声信号に基づき、スピーカユニット２より音声が出力される。スタンド３は、液晶テレビ１をテーブル等の平面に立てて載置するためのものである。【００１９】
スタンド３は床面等の載置面に接するベース部３１と、ベース部３１に固定されている支柱３２とを有している。支柱３２には、ねじ挿通孔３２ａが設けられている。ベース部３１が載置面に接している状態では、支柱３２は載置面に対してほぼ垂直になっている。リアキャビネット２１には、挿入孔２１ａが設けられている。後述するように、スタンド３は、挿入孔２１ａへ支柱３２が挿入される。リアキャビネット２１の後側からねじ挿通孔３２ａを挿通するねじにより、ねじ止めされる。【００２０】
以下の説明においては、液晶テレビ１の液晶表示パネル１２が設けられた側を前側と呼び、前側の反対側を後側と呼び、液晶表示パネル１２に向かって左右をそれぞれ左側、右側と呼ぶこととする。また、液晶表示パネル１２に向かって上下をそれぞれ上側、下側と呼ぶこととする。
また、液晶テレビ１の各構成要素の説明においては、各構成要素が組み付けられた状態での方向を記述する。【００２１】
図３は液晶テレビ１の主要部の分解斜視図である。液晶テレビ１の主要部は、フロントフレーム１１、液晶表示パネル１２、光学シート１３、ミドルシャーシ１４、導光板１５、反射シート１６、導光板ホルダ１７、ＬＥＤ基板１８、ヒートスプレッダ１９、バックライトシャーシ２０を含む。【００２２】
光学シート１３は、光を拡散、集光等するためのシートである。光学シート１３は、拡散シート、プリズムシート等の複数のシートが積層されたものである。【００２３】
ミドルシャーシ１４は、樹脂で形成された４つの棒状部材、下側ミドルシャーシ１４１、右側ミドルシャーシ１４２、上側ミドルシャーシ１４３、左側ミドルシャーシ１４４を含む。４つのミドルシャーシ１４１、１４２、１４３、１４４はそれぞれ断面が略Ｌ字状をなしている。４つのミドルシャーシ１４１、１４２、１４３、１４４が組み合わさることにより、全体として矩形枠状をなす。【００２４】
導光板１５は、例えば透明度の高い矩形のアクリル樹脂からなり、所定の厚みを有している。導光板１５は側面から入射される光を平面光に変えて、一方の広面から出射する。【００２５】
反射シート１６は、導光板１５と平面視形状が略同一のシートである。反射シート１６は前面に入射した光を全反射する。【００２６】
導光板ホルダ１７は樹脂製の短冊状の部材である。後述するように、導光板ホルダ１７は導光板１５を保持する。また、ヒートスプレッダ１９から導光板１５及び反射シート１６へ伝わる熱が低減するように、反射シート１６とヒートスプレッダ１９との間に介在する。【００２７】
ＬＥＤ基板（基板）１８は短冊状をなし、一面の一端から他端にわたり白色ＬＥＤが複数実装されている。【００２８】
ヒートスプレッダ１９は、例えばアルミニウムなど熱伝導性の高い金属による押出成形品である。ヒートスプレッダ１９は断面略Ｌ字状である。ヒートスプレッダ１９は、ＬＥＤ基板１８で発生した熱を発散させる機能を担っている。【００２９】
バックライトシャーシ２０は、一面が開口され矩形状の底を有する箱体状をなす。バックライトシャーシ２０は、鉄板をプレス加工して形成する。バックライトシャーシ２０は光学シート１３、ミドルシャーシ１４、導光板１５、反射シート１６などを収容する。【００３０】
液晶テレビ１は以下のように組み立てられる。横姿勢で組み上げる場合について説明する。まず、バックライトシャーシ２０を作業台などに開口部が上となるように置く。その上に予めＬＥＤ基板１８を両面テープで固定したヒートスプレッダ１９を、後述するようにねじ止めする。導光板ホルダ１７を、ＬＥＤ基板１８に沿うように、ヒートスプレッダ１９に固定する。反射シート１６、導光板１５の下周縁部が、ヒートスプレッダ１９に載るように重ねておく。反射シート１６、導光板１５の下周縁部は導光板ホルダ１７で保持され、左右周縁部、上周縁部は、バックライトシャーシ２０に保持される。これにより、反射シート１６は、ヒートスプレッダ１９に接触しないので、ヒートスプレッダ１９より反射シート１６及び導光板１５へ、伝達する熱量を低減することが可能となる。次に、導光板１５の前側周縁部を覆うように、ミドルシャーシ１４をバックライトシャーシ２０に固定する。ミドルシャーシ１４の側面が、バックライトシャーシ２０の側面に外側から嵌る。ミドルシャーシ１４の側面には突起が設けてあり、この突起がバックライトシャーシ２０の側面に設けた孔部に嵌ることにより、ミドルシャーシ１４はバックライトシャーシ２０に固定される。【００３１】
導光板１５の前面を覆うように、光学シート１３の周縁部をミドルシャーシ１４に載置し、さらに光学シート１３の上に、液晶表示パネル１２を載せる。フロントフレーム１１を液晶表示パネル１２の周縁部を覆うようにおき、フロントフレーム１１とバックライトシャーシ２０を互いにねじで固定する。【００３２】
以上のように構成された液晶テレビ１は、次のような動作により、液晶表示パネル１２の表示面に画像を表示する。ＬＥＤ基板１８からの白色光が導光板１５の一側面から入射する。導光板１５は入射した光を広面より出射する。出射した光は光学シート１３を介して、液晶表示パネル１２の後側に照射される。それにより、液晶表示パネル１２の前側に画像が表示される。【００３３】
図４はヒートスプレッダ１９の斜視図である。図５はヒートスプレッダ１９の前面図である。図６はヒートスプレッダ１９の後面図である。図７はヒートスプレッダ１９の左側面図である。ヒートスプレッダ１９は幅広で板状の後面部１９１及び当該後面部１９１と直交する幅狭の基板固定部１９２を含み、側面視がＬ字状をなしている。上述したように、基板固定部１９２にはＬＥＤ基板１８が両面テープで固定される。【００３４】
ヒートスプレッダ１９の後面部１９１には、ねじ挿通孔１９４が複数設けてある。ねじ挿通孔１９４は、ヒートスプレッダ１９の長手方向に沿って並設してある。ヒートスプレッダ１９の上端縁近傍に並設されているねじ挿通孔１９４は、計１７個である。ヒートスプレッダ１９の上下方向中央より、やや下寄りに並設してあるねじ挿通孔１９４は、計１７個である。ヒートスプレッダ１９の下端縁部より少し距離をおいた位置に並設してあるねじ挿通孔１９４は、計１１個である。【００３５】
図８はバックライトシャーシ２０の後側斜視図である。図８で、点線で囲み斜線を掛けている矩形状領域は、ヒートスプレッダ１９が固定される固定部２０１である。図９はバックライトシャーシ２０の前側部分斜視図である。図９は右端部を示している。バックライトシャーシ２０の固定部２０１に、ねじ孔２０２が複数設けられている。ヒートスプレッダ１９のねじ挿通孔１９４の位置がねじ孔２０２の位置と合うように、ヒートスプレッダ１９は固定部２０１の上に置かれる。そして、ねじ挿通孔１９４を挿通するねじをねじ孔２０２に螺合することにより、ヒートスプレッダ１９が固定部２０１に固定される。【００３６】
図９に示すように、ヒートスプレッダ１９の後面部１９１が、バックライトシャーシ２０の固定部２０１に密着するように、多数のねじで固定している。それにより、ヒートスプレッダ１９からバックライトシャーシ２０へ効率的に熱を伝導することが可能となる。さらに、バックライトシャーシ２０の剛性を高めることが可能となる。【００３７】
図１０はバックライトシャーシ２０の後側部分斜視図である。図１１はバックライトシャーシに固定された取付具４を示す斜視図である。図１０、図１１は、左角部分を示している。バックライトシャーシ２０には、スタンド３の取付具４を固定するための取付部（固定部）２０３が設けられている。取付部２０３は矩形状の領域であり、バックライトシャーシ２０の固定部２０１に設けられている。取付部２０３には、４つのねじ孔２０３ａが設けられている。４つのねじ孔２０３aは、矩形の４隅となるような配置としてある。取付具４は、断面がコの字状をなし、バックライトシャーシ２０の縦方向に延びる挿通部４１と、挿通部４１の幅方向の両縁部に設けられ、細長い矩形状をなす当接板部４２、４２を含む。挿通部４１の中央部には、長手方向に沿って２箇所、ねじ挿通孔４１ａ、４１ａが設けられている。当接板部４２には、長手方向に沿って２箇所、ねじ挿通孔４２ａ、４２ａが設けられている。取付具４は、ねじ挿通孔４１ａ、４１ａ及び４２ａ、４２ａの位置がそれぞれ、取付部２０３に設けてあるねじ孔２０３ａに合うように、取付部２０３に配置される。そして、各ねじ２０３ｂがねじ挿通孔４２ａを挿通し、ねじ孔２０３ａに螺合することにより、取付具４は、バックライトシャーシ２０の取付部２０３に固定される。バックライトシャーシ２０と取付具４とにより、挿入孔４１ｂが形成される。【００３８】
図１２は液晶テレビ１の後側及びスタンド３の斜視図である。スタンド３の支柱３２が挿入孔４１ｂへ挿入される。そして、リアキャビネット２１の後側から挿入されたねじが、ねじ挿通孔３２ａを挿通し、取付具４に設けられたねじ挿通孔４１ａに螺合することにより、支柱３２が取付具４に固定される。【００３９】
実施の形態１では、ヒートスプレッダ１９の後面部１９１が、バックライトシャーシ２０の固定部２０１に密着するように固定されている。したがって、ヒートスプレッダ１９からバックライトシャーシ２０へ熱が効率よく伝導し、バックライトシャーシ２０全体で熱を放散することが可能となる。ＬＥＤで発生した熱を効率的に放散することが可能となる。それにより、ＬＥＤの温度上昇による発光効率の低下を防ぐことが可能となる。また、ＬＥＤ基板１８の温度上昇により、半田接合部に亀裂が生じ、接触不良が発生することを防ぐことが可能となる。また、ＬＥＤで発生した熱により、液晶テレビ１内部の温度上昇が上昇し、熱膨張により光学シート１３にシワが発生し、液晶表示パネル１２での表示にフレアが発生することを防ぐことが可能となる。さらにまた、ＬＥＤで発生した熱をヒートスプレッダ１９及びバックライトシャーシ２０で放散させることにより、局所的に温度が高くなることを防ぐことが可能となる。ＬＥＤ基板１８に近い部分の温度上昇を、他の部分と同様程度に抑えることが可能となる。それにより、ユーザが触る可能性がある部分（可触部）であるフロントフレーム１１及びリアキャビネット２１のＬＥＤ基板１８近傍部分の、温度上昇を抑えることが可能となる。【００４０】
ヒートスプレッダ１９の後面部１９１が、バックライトシャーシ２０の固定部２０１に密着するように固定されているので、バックライトシャーシ２０の剛性が向上する。それにより、剛性を強化するための別部材を追加することなく、スタンド３を取り付けるための取付具４を固定することが可能となる。別部材を追加する必要がないため、別部材をバックライトシャーシ２０に取り付けることによる奥行寸法の増加を防ぐことが可能となる。【００４１】
なお、ヒートスプレッダ１９の後面部１９１は、バックライトシャーシ２０の固定部２０１の全面に隙間なく、密着することが望ましい。しかしながら、ヒートスプレッダ１９及びバックライトシャーシ２０の加工誤差や、ヒートスプレッダ１９をバックライトシャーシ２０に固定する際の組み付け誤差が発生し、多少の隙間が生じる場合がある。実施の形態１では、このような誤差による隙間は０．２ｍｍ以下とすることが望ましい。０．２ｍｍの隙間であれば、隙間に発生する空気層による熱伝導率の低下も大きくはないからである。【００４２】
また、ヒートスプレッダ１９の後面部１９１を、バックライトシャーシ２０の固定部２０１に固定するためのねじは、上述の隙間が０．２ｍｍ以下にすることが可能な配置と本数とする。ねじの配置については、取付具４が固定される付近に、密に配置することが望ましい。バックライトシャーシ２０の剛性を確保するためである。【００４３】
（実施の形態２）
実施の形態２では、スタンド３を取り付けるための取付具４が固定可能な箇所を複数設ける。上述したように、ヒートスプレッダ１９の後面部１９１が、バックライトシャーシ２０の固定部２０１に密着するように固定されているので、バックライトシャーシ２０の固定部２０１は剛性が向上する。そのため、固定部２０１の範囲内であれば、いずれの場所においても、剛性を確保するための別部材を追加することなく、取付具４を固定することが可能である。【００４４】
図１３は取付具４が複数取り付けられたバックライトシャーシ２０の部分斜視図である。図１３はバックライトシャーシ２０の後側右下付近を示している。図１３に示す例では、取付具４を５箇所に固定可能としてある。左側も同様に５箇所に固定可能としてある。なお、図１３では説明のために、５箇所全てに取付具４を固定しているが、スタンド３の取り付け箇所に合わせて、左右の一箇所ずつに取付具４を固定すれば良い。【００４５】
上述のように、実施の形態２では、実施の形態１の奏する効果に加えて、以下の効果を奏する。バックライトシャーシ２０の複数箇所に、スタンド３の取付具４を固定可能としたので、スタンド３の取り付け箇所に自由度を持たせることが可能となる。また、スタンド３の取り付け箇所が異なる機種間でバックライトシャーシ２０の共通化を図ることが可能となる。【００４６】
（実施の形態３）
実施の形態３では、ヒートスプレッダ１９をバックライトシャーシ２０に固定するために、ヒートスプレッダ１９に設けるねじ挿通孔１９４を長孔とする。図１４はヒートスプレッダ１９の正面図である。ヒートスプレッダ１９に設けるねじ挿通孔１９４は、長手方向、すなわち、液晶テレビ１の左右方向に長くしてある。ねじ挿通孔１９４を長孔とするのは、液晶テレビ１の内部温度上昇による部材の熱膨張、または内部温度下降による熱収縮による不具合を防ぐためである。【００４７】
上述したように、ヒートスプレッダ１９の後面部１９１が、バックライトシャーシ２０の固定部２０１に密着するように固定されている。しかし、双方が完全に自由度が失われた状態で固定されることは望ましくない。双方の接触面に沿う方向について、相対的にずれを許容することが望ましい。それは、ヒートスプレッダ１９とバックライトシャーシ２０とでは、材質が異なることに起因する。バックライトシャーシ２０は鋼板により形成されている。薄くてもある一定上の剛性を確保するためである。ヒートスプレッダ１９はアルミニウムで形成してある。熱を効率的に放散させるためである。【００４８】
ヒートスプレッダ１９とバックライトシャーシ２０とでは、材質が異なるので、熱膨張率及び熱収縮率が異なる。そのため、双方の接触面に沿う方向について、相対的なずれを許容する構造としなければ、熱膨張率及び熱収縮率の違いを要因として、ヒートスプレッダ１９とバックライトシャーシ２０とに歪みが生じたり、破損したりする可能性がある。そこで、ヒートスプレッダ１９に設けるねじ挿通孔１９４を長孔としている。【００４９】
また、上述したように、ねじ挿通孔１９４は、ヒートスプレッダ１９の長手方向に並設された一群を１つグループとすると、３つのグループ分けることが可能である。実施の形態３では、各グループにおいて、端部寄りに位置するねじ挿通孔１９４の長さＷ２は、中央寄りのねじ挿通孔１９４の左右方向の長さＷ１よりも長くしてある。他のねじ挿通孔１９４も同様とする。左右方向の同じ位置にあり、上下方向に異なる位置にあるねじ挿通孔１９４については、同一の長さとしても良い。なお、左右方向中央に位置するねじ挿通孔１９４は丸穴としても良い。左右方向中央では、ヒートスプレッダ１９とバックライトシャーシ２０との位置ずれが発生しないようにするためである。左右方向での位置ずれが発生すると、ＬＥＤからの光が導光板１５の側面へ十分に入射しないことによる輝度の低下や、導光板１５の側面へ一様に入射しないことによる輝度ムラが発生する。このような表示品位の低下を防ぐことが可能となる。【００５０】
上述したように、実施の形態３では、実施の形態１及び実施の形態２の奏する効果に加えて、以下の効果を奏する。ヒートスプレッダ１９に設けるねじ挿通孔１９４を左右方向に長い長孔とし、左右方向端部側の長さを中央側の長さよりも長くしている。それにより、熱膨張又は熱収縮によるヒートスプレッダ１９とバックライトシャーシ２０との位置ずれを左右方向の中央付近では最小にすることで、位置ずれによる表示品位の低下を、ユーザの目につきやすい中央付近では少なくすることが可能となる。【００５１】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、請求の範囲によって示され、請求の範囲と均等の意味及び範囲内でのすべての変更が含まれることが意図される。【００５２】
以上のように、本発明に係る表示装置１は、前側で映像を表示する表示部１２と、該表示部１２の後側に一広面を対向させて配される導光板１５と、一面に発光素子が実装してある基板１８と、前記導光板１５の一側面と平行な板状をなし、前記基板１８を、前記一側面に前記発光素子の実装面を対向させて保持する保持部１９２及び該保持部１９２に連なり、前記導光板１５の他広面と平行な板状をなす後面部１９１を有し、前記一側面に沿う方向に長い放熱体１９と、一面が開口された箱体状をなし、前記放熱体１９を固着する固着部２０１を有し、前記導光板１５を保持する保持体２０とを備え、前記導光板１５は、前記発光素子から前記一側面に入射する光を前記一広面から出射して前記表示部１２に照射するようにしてある表示装置１において、前記保持体２０の前記固着部２０１は、前記導光板１５の前記他広面と平行であり、前記放熱体１９の前記後面部１９１の一部が、前記保持体２０の前記固着部２０１と密に固着してあり、該固着部２０１に据置用のスタンド３を取り付けるための固定部２０３を設けてあることを特徴とする。【００５３】
本発明にあっては、放熱体の後面部が保持体の固着部と密に固着されているので、発光素子で発生した熱を、放熱体から保持体へ効率的に伝導させることにより、放熱体および保持体全体により、熱を放散させることが可能となる。また、保持体の固着部に放熱体の後面部が固着することにより保持体の剛性が高まるので、新たな補強部材を保持体に取り付けることなく、据置用のスタンドを取り付けるための固定部を設けることが可能となる。【００５４】
本発明に係る表示装置１は、前記固定部２０３は、前記固着部２０１の複数箇所に設けてあることを特徴とする。【００５５】
本発明にあっては、保持体の固着部全体の剛性が高まるので、固定部を複数箇所に設けることが可能となる。【００５６】
本発明に係る表示装置１は、前記放熱体１９は前記保持体２０にねじ止めしてあり、前記放熱体１９に設けてあるねじ挿通孔１９４は、前記放熱体１９の長手方向に長い長孔としてあることを特徴とする。【００５７】
本発明にあっては、放熱体に設けるねじ挿通孔は、放熱体の長手方向に長い長孔としたので、放熱体と保持体とが熱膨張率又は熱収縮率の異なる部材で形成していても、熱膨張又は熱収縮により、双方が変形及び破損することを防ぐことが可能となる。【００５８】
本発明に係る表示装置１は、前記長孔は、前記長手方向に沿って複数設けてあり、長手方向中央側より端部側が長いことを特徴とする。【００５９】
本発明にあっては、長孔は、長手方向中央側より端部側が長くしてあるので、放熱体と保持体とが熱膨張又は熱収縮しても、互いの中央位置のずれを低減することが可能となる。それにより、導光板と基板との中央位置のずれが低減され、位置ずれによる表示品位の低下を抑えることが可能となる。【００６０】
本発明に係るテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてあることを特徴とする。【００６１】
本発明にあっては、放熱体の後面部が保持体の固着部と密に固着されているので、発光素子で発生した熱を、放熱体から保持体へ効率的に伝導させることにより、放熱体および保持体全体により、熱を放散させることが可能となる。また、保持体の固着部に放熱体の後面部が固着することにより保持体の剛性が高まるので、新たな補強部材を保持体に取り付けることなく、据置用のスタンドを取り付けるための固定部を設けることが可能となる。
【符号の説明】
【００６２】
１  液晶テレビ
１１  フロントフレーム
１２  液晶表示パネル（表示部）
１３  光学シート
１４  ミドルシャーシ
１５  導光板
１６  反射シート
１７  導光板ホルダ
１８  ＬＥＤ基板（基板）
１９  ヒートスプレッダ（放熱体）
１９１  後面部
１９２  基板固定部
１９４  ねじ挿通孔
２０  バックライトシャーシ（保持体）
２０１  固定部（固着部）
２０２  ねじ孔
２０３  取付部（固定部）
２１  リアキャビネット
２  スピーカユニット
３  スタンド
４  取付具
【図１】
2015186639.tif 000003
【図２】
2015186639.tif 000004
【図３】
2015186639.tif 000005
【図４】
2015186639.tif 000006
【図５】
2015186639.tif 000007
【図６】
2015186639.tif 000008
【図７】
2015186639.tif 000009
【図８】
2015186639.tif 000010
【図９】
2015186639.tif 000011
【図１０】
2015186639.tif 000012
【図１１】
2015186639.tif 000013
【図１２】
2015186639.tif 000014
【図１３】
2015186639.tif 000015
【図１４】
2015186639.tif 000016
【国際調査報告】
2015186639.tif 000017
2015186639.tif 000018
2015186639.tif 000019
2015186639.tif 000020